(57)【要約】【課題】可撓性と電気特性に優れた同軸ケーブルを得ることを目的としている。【解決手段】内部導体と、前記内部導体の周囲を囲んで設けられた管状の外部導体と、前記内部導体と前記外部導体との間に設けられた発泡絶縁体と、前記外部導体の周囲を覆う被覆とを備えた同軸ケーブルであって、内部導体は螺旋コルゲート波付き銅管であり、内部導体と発泡絶縁体との間に、内部導体の周面全周にわたって薄膜のスキン層が形成されている。【選択図】  図１
2005108576.tif 000002
【特許請求の範囲】
【請求項１】
内部導体と、前記内部導体の周囲を囲んで設けられた管状の外部導体と、前記内部導体と前記外部導体との間に設けられた発泡絶縁体と、前記外部導体の周囲を覆う被覆とを備えた同軸ケーブルであって、
前記内部導体は螺旋コルゲート波付き銅管であり、
前記内部導体と前記発泡絶縁体との間に、前記内部導体の周面全周にわたって薄膜のスキン層が形成されていることを特徴とする同軸ケーブル。
【請求項２】
前記発泡絶縁体は、低密度ポリエチレンと高密度ポリエチレンとの配合比が、２０％：８０％〜４０％：６０％であることを特徴とする請求項１に記載の同軸ケーブル。
【発明の詳細な説明】
【技術分野】
【０００１】
本発明は、携帯電話基地局給電線やアンテナ給電線に使用される同軸ケーブルに関する。
【背景技術】
【０００２】
従来から、携帯電話基地局給電線やアンテナ給電線に使用される同軸ケーブルとして、リングコルゲート波付き銅管からなる外部導体と、外部導体の内部に配置された銅管または銅単線からなる内部導体と、外部導体と内部導体との間に設けられた発泡ポリエチレンからなる絶縁体と、外部導体の周囲に設けられたポリエチレンからなる被覆とを有するものがある（特許文献１参照）。
【０００３】
【特許文献１】実公昭６−３１１３０号公報
【発明の開示】
【発明が解決しようとする課題】
【０００４】
携帯電話基地局給電線やアンテナ給電線に使用される同軸ケーブルとしては、内部導体として、一般に、比較的細径のケーブルでは銅単線あるいは銅管、比較的太径のケーブルでは可撓性を確保するために螺旋コルゲート波付き銅管が用いられている。また、発泡絶縁体としては、低密度ポリエチレンが用いられている。これは低密度ポリエチレンが高密度ポリエチレンに比較して銅との密着性が良く、特性のばらつきが少ないという利点があるからである。
【０００５】
しかしながら、近年、使用される周波数帯が高周波領域に延びる傾向にあり、高周波領域におけるＶＳＷＲ（電圧定在波比）や減衰量などの電気特性を向上させるために、発泡絶縁体に低密度ポリエチレンと高密度ポリエチレンとのブレンド品を用い、さらに高密度ポリエチレンの配合割合を多くすることが行われるようになってきている。しかし、高密度ポリエチレンは銅との密着性が悪いため、特に、内部導体が螺旋コルゲート波付き銅管の場合、内部導体と発泡絶縁体との密着性が悪く、電気特性にばらつきが出たり、製造方法が安定しないという問題があった。
【０００６】
本発明は、内部導体が螺旋コルゲート波付き銅管の場合であっても、ＶＳＷＲや減衰量などの電気特性が、良好かつ安定した同軸ケーブルを提供することを目的とする。
【課題を解決するための手段】
【０００７】
本発明に係る同軸ケーブルは、内部導体と、前記内部導体の周囲を囲んで設けられた管状の外部導体と、前記内部導体と前記外部導体との間に設けられた発泡絶縁体と、前記外部導体の周囲を覆う被覆とを備え、前記内部導体は螺旋コルゲート波付き銅管であり、前記内部導体と前記発泡絶縁体との間に、前記内部導体の周面全周にわたって薄膜のスキン層が形成されていることを特徴としている。
【０００８】
また、本発明に係る同軸ケーブルは、発泡絶縁体の低密度ポリエチレンと高密度ポリエチレンとの配合比が、２０％：８０％〜４０％：６０％であるときに、前記螺旋コルゲート波付き銅管からなる内部導体と、前記発泡絶縁体との間にスキン層を設けたことを特徴としている。
【発明の効果】
【０００９】
本発明に係る同軸ケーブルにあっては、螺旋コルゲート波付き銅管からなる内部導体と発泡絶縁体との間に、内部導体の周面全周にわたって薄膜のスキン層が形成されているため、内部導体と、発泡絶縁体との密着性が増し、良好かつ安定したＶＳＷＲや減衰量などの電気特性が得られ、また、可撓性も良い。
【００１０】
また、本発明に係る同軸ケーブルにあっては、前記発泡絶縁体の低密度ポリエチレンと高密度ポリエチレンとの配合比が、２０％：８０％〜４０％：６０％であるときにスキン層を設けているため、特に良好かつ安定した電気特性が得られる。
【発明を実施するための最良の形態】
【００１１】
本発明の実施形態を以下に詳説する。
図１は、本発明に係る同軸ケーブルの外観斜視図であり、１は同軸ケーブル、２は内部導体、３はスキン層、４は発泡絶縁体、５は外部導体、６は被覆である。
【００１２】
内部導体２は、螺旋コルゲート波付き銅管からなり、スキン層３はポリエチレンなどのポリオレフィン系の熱可塑性樹脂からなる薄膜の充実層であり、内部導体の螺旋コルゲートに沿った形態で内部導体の周面全周を一様に覆っている。発泡絶縁体４は、低密度ポリエチレンと高密度ポリエチレンとの配合比が、２０％：８０％〜４０％：６０％である、発泡度約８０％の樹脂からなる。外部導体５は、リングコルゲート波付き銅管からなり、被覆６は、ポリエチレンである。
【００１３】
ここで、低密度ポリエチレンと高密度ポリエチレンとの配合比について説明すると、前述したとおり、低密度ポリエチレンが多くなると、内部導体との密着性が良くなり、電気特性のばらつきが少なくなる。また、ある程度の発泡度を得るためにも、低密度ポリエチレンは必要である。次に、高密度ポリエチレンが多くなると、誘電特性が優れているため、同軸ケーブルの減衰量が向上する、という関係がある。
【００１４】
すなわち、低密度ポリエチレンが２０％以下（高密度ポリエチレンが８０％以上）であると、内部導体との密着性が悪くなって電気特性にばらつきが生じる。低密度ポリエチレンが４０％以上（高密度ポリエチレンが６０％以下）となると、誘電特性が悪くなるため、同軸ケーブルの減衰量が悪くなる。従って、低密度ポリエチレンと高密度ポリエチレンとの配合比が、２０％：８０％〜４０％：６０％であるときに、内部導体２に、スキン層３を設けることが、最良の形態となる。
【００１５】
ここで、低密度ポリエチレンとは、密度が０．９１ｇ／ｃｍ3〜０．９３ｇ／ｃｍ3のものであり、高密度ポリエチレンとは、密度が０．９４ｇ／ｃｍ3〜０．９７ｇ／ｃｍ3のものである。
【００１６】
スキン層の厚みとしては、０．０５ｍｍ〜０．３ｍｍが好ましく、０．０７ｍｍ〜０．１３ｍｍがより好ましい。これは、スキン層が薄いと、スキン層が切れて一様なスキン層とならないおそれがあり、そうなると、電気特性に悪影響を及ぼす。また、スキン層が厚すぎると、実質的に発泡度が下がるので、電気特性が悪くなる。
【００１７】
上述した実施形態において、外部導体５は、リングコルゲート波付き銅管からなるものとしているが、螺旋コルゲート波付き銅管であってもよい。
【産業上の利用可能性】
【００１８】
以上説明したように、本発明の同軸ケーブルは、携帯電話基地局給電線やアンテナ給電線に使用するのに有用である。
【図面の簡単な説明】
【００１９】
【図１】本発明の同軸ケーブルの外観斜視図である。
【符号の説明】
【００２０】
１    同軸ケーブル
２    内部導体
３    スキン層
４    発泡絶縁体
５    外部導体
６    被覆
【図１】
2005108576.tif 000003